(57)【特許請求の範囲】
【請求項１】
被包装物の収納部を有する直方体形状の緩衝材と、一側面に開閉口を有する直方体形状をなし該開閉口から前記緩衝材を挿入して包装できるカートンとを備える包装装置であって、
前記緩衝材には、カートンによる包装時にカートンの開閉口側に位置する側面の一辺部から該側面に隣接する面にかけて開口し内奥側に延びる把持用凹部が設けられ、前記把持用凹部は、親指以外の数本の指を挿入できる深さ及び幅で開口しており、該把持用凹部の内奥部に挿入した指の先端をかけることができる指掛け用凹部が設けられてなり、
前記指掛け用凹部は、前記把持用凹部の内奥部の底面が凹設されることにより形成されてなり、
前記緩衝材が、被包装物の収納部を有する下部緩衝体と、前記下部緩衝体の収納部四周の側壁上端部に嵌合し前記収納部の開口を覆う上部緩衝体とを備え、上部緩衝体の上面に、カートンの開閉口側に位置する側面の上側辺部から開口して内奥側に延びる把持用凹部が設けられてなり、
上部緩衝体の下面に下部緩衝体の収納部を形成する側壁の内側に嵌合する嵌合凸部を有し、指掛け用凹部が嵌合凸部の上方位置に設けられている、包装装置。
【請求項２】
前記緩衝体が、収納部四周の側部において上下両面から把持できる厚みを有する直方体形状をなし、上下面の一方に、カートンの開閉口側に位置する側面の上下辺部の一方から開口して内奥側に延びる把持用凹部が設けられてなる請求項１に記載の包装装置。
【請求項３】
把持用凹部の内奥部の指掛け用凹部の底面が、下部緩衝体の収納部四周の側壁上端面に対し接する上部緩衝体の下面より上方にある請求項１又は２に記載の包装装置。
【請求項４】
下部緩衝体の下面に、カートンの開閉口側に位置する前記側面の下辺部から連続して開口する親指用凹部を有し、該親指用凹部は、前記把持用凹部に親指以外の数本の指を挿入し緩衝材を把持する場合に親指を掛けることができる位置に設けられてなる請求項１〜３のいずれか１項に記載の包装装置。
【請求項５】
前記上部緩衝体の上面には、カートンの開閉口側に位置する前記側面の側に開口してカートンの開閉用フラップの端縁に折曲可能に連設された挿し込み辺を挿入できる挿し込み用凹部が設けられてなる請求項１〜４のいずれか１項に記載の包装装置。
【請求項６】
カートンの開閉口側に位置する前記側面に、カートンの開閉用フラップに設けられた手下げ用の取手部材の取り付け基部を収容できる凹部が設けられてなる請求項１〜５のいずれか１項に記載の包装装置。
【発明の詳細な説明】
【技術分野】
【０００１】
本発明は製品を収納して保護する包装装置に関する。
【背景技術】
【０００２】
従来から、電気製品等の衝撃に弱い被包装物を包装する形態として、被包装物を緩衝材に収納し、該緩衝材を外装用のカートンに収納して包装する方法が知られている。
【０００３】
しかし、緩衝材が、２つの緩衝体を嵌合して間に被包装物を収納するものであって、緩衝材全体で直方体の形状をなすものであると、カートンと緩衝材の間に手を入れる隙間が無いため、カートンから緩衝材を取り出すことが困難である。具体的には、カートンから直方体の緩衝材を取り出すためには、片手又は両手でカートンの取り出し口を広げてカートンと緩衝材の間に隙間を作り、その状態を保ちながら該隙間に手を入れて緩衝材を引き出さなければならない。この作業は片手でできないのはもちろんのこと、両手でも困難である。
【０００４】
上記問題を解決する緩衝材として、カートンから取り出す時に握る把手を設けた緩衝材が知られている（特許文献１）。
【先行技術文献】
【特許文献】
【０００５】
【特許文献１】特公平７−５１３０号公報
【発明の概要】
【発明が解決しようとする課題】
【０００６】
しかし、特許文献１に記載された形態の把手を被包装物の包装部分から突出して設けた場合、その分緩衝材全体が大きくなり、しかもカートン内において把手周辺がデッドスペースとなる。特に、把手に強度を持たせようとした場合、把手が一定以上の太さ及び大きさでなければならないため、緩衝材全体が大きくなり、カートン内におけるデッドスペースも広くなる。
【０００７】
本発明は、この問題を解決するものであり、カートンから容易に緩衝材を取り出すことができ、しかもコンパクトな包装装置を提供するものである。
【課題を解決するための手段】
【０００８】
本発明の包装装置は、被包装物の収納部を有する直方体形状の緩衝材と、一側面に開閉口を有する直方体形状をなし該開閉口から前記緩衝材を挿入して包装できるカートンとからなる梱包装置であって、前記緩衝材には、カートンによる包装時にカートンの開閉口側に位置する側面の一辺部から該側面に隣接する面にかけて開口し内奥側に延びる把持用凹部が設けられ、前記把持用凹部は、親指以外の数本の指を挿入できる深さ及び幅で開口しており、該把持用凹部の内奥部に挿入した指の先端をかけることができる指掛け用凹部が設けられてなり、前記指掛け用凹部は、前記把持用凹部の内奥部の底面が凹設されることにより形成されてなり、前記緩衝材が、被包装物の収納部を有する下部緩衝体と、前記下部緩衝体の収納部四周の側壁上端部に嵌合し前記収納部の開口を覆う上部緩衝体とを備え、上部緩衝体の上面に、カートンの開閉口側に位置する側面の上側辺部から開口して内奥側に延びる把持用凹部が設けられてなり、上部緩衝体の下面に下部緩衝体の収納部を形成する側壁の内側に嵌合する嵌合凸部を有し、指掛け用凹部が嵌合凸部の上方位置に設けられていることを特徴とする。
【０００９】
本発明によれば、把手用凹部に手を掛けて引くことにより、カートンの取り出し口を広げることなく、カートンから容易に緩衝材を取り出すことができる。特に、指掛け用凹部に親指を除く数本の指を掛けることができるため、しっかりと緩衝材を保持して取り出すことができる。
【００１０】
また、特許文献１の発明のように緩衝体本体から突出した形で把手部を設けた場合、把手部の強度を保つために、把手部を太く厚みのあるものにしなければならない。その結果緩衝材全体が大きくなり、カートン内におけるデッドスペースも広くなる。しかし本発明では、緩衝材１の一部に把持用凹部を形成したため、把手部が小さくても強度を保つことが可能であるばかりか、逆に把手部が必要最小限の深さ及び幅で十分な強度が得られるため、自ずと緩衝材１をコンパクトなものとすることができる。
【００１１】
また、前記指掛け用凹部は、前記把持用凹部の内奥部の底面が凹設されることにより形成されてなるため、把持用凹部内で指を曲げるだけで確実に緩衝材を把持することができる。また、前記緩衝材が、被包装物の収納部を有する下部緩衝体と、前記下部緩衝体の収納部四周の側壁上端部に嵌合し前記収納部の開口を覆う上部緩衝体とからなり、上部緩衝体の上面に、カートンの開閉口側に位置する側面の上側辺部から開口して内奥側に延びる把持用凹部が設けられてなり、上部緩衝体の下面に下部緩衝体の収納部を形成する側壁の内側に嵌合する嵌合凸部を有し、指掛け用凹部が嵌合凸部の上方位置に設けられていることを特徴とするため、上部緩衝体の指掛け用凹部に加えた力が嵌合凸部を通して下部緩衝体に伝わり、上部緩衝体と下部緩衝体を一体として容易にカートンから取り出すことができる。
【００１２】
また、前記緩衝体が、収納部四周の側部において上下両面から把持できる厚みを有する直方体形状をなし、上下面の一方に、カートンの開閉口側に位置する側面の上下辺部の一方から開口して内奥側に延びる把持用凹部が設けられてなることを特徴とする。これにより、片手で容易に緩衝材１を把持することができる。
【００１３】
また、把持用凹部の内奥部の指掛け用凹部の底面が、下部緩衝体の収納部四周の側壁上端面に対し接する上部緩衝体の下面より上方にあることを特徴とする。
【００１４】
ここで、上部緩衝体に設けた指掛け用凹部の底面が、下部緩衝体の収納部四周の側壁上端面に対し接する上部緩衝体の下面まで及ぶ場合は、上部緩衝体の下部緩衝体側に、内部が指掛け用凹部である凸部が形成されることになり、下部緩衝体の収納スペースが減少することとなる。さらに、この指掛け用凹部の強度を保つためにはその壁を厚くしなければならず、その結果前記凸部が大きくなり、下部緩衝体の収納スペースを余計に潰したり、緩衝材全体が大きくなったりする。しかし本発明のように指掛け用凹部の深さを上部緩衝体と下部緩衝体の嵌合面より上部緩衝体側までとすると、上部緩衝体の下部緩衝体側に大きな凸部を形成する必要がないため、収納スペースを十分に確保でき、しかも緩衝材全体をコンパクトなものとすることができる。
【００１６】
また、下部緩衝体の下面に、カートンの開閉口側に位置する前記側面の下辺部から連続して開口する親指用凹部を有し、該親指用凹部は、前記把持用凹部に親指以外の数本の指を挿入し緩衝材を把持する場合に親指を掛けることができる位置に設けられてなることを特徴とする。本発明によれば、緩衝体を親指も使って掴むことができるため、緩衝材に力を加えた状態で容易にカートンから取り出すことができる。また、左右どちらの手でも緩衝体を掴むことができるため、便利である。さらに、上部緩衝材と下部緩衝材を閉じ合わせた状態を保持したままで取り出すことができ、また取り出した時にみだりに開くことがない。
【００１７】
また、前記上部緩衝体の上面には、カートンの開閉口側に位置する前記側面の側に開口してカートンの開閉用フラップの端縁に折曲可能に連設された挿し込み片を挿入できる挿し込み用凹部が設けられてなることを特徴とする。本発明によれば、カートンを閉じる際にカートンと緩衝体との隙間に無理に挿し込み片を入れる必要がないため、容易にカートンを閉じることができ、またカートンを閉じた状態でカートン外面における舌片の部分が膨らまず、カートンの外観が良好に保たれる。
【００１８】
また、カートンの開閉口側に位置する前記側面に、カートンの開閉用フラップに設けられた手下げ用の取手部材の取り付け基部を収容できる凹部が設けられてなることを特徴とする。本発明によれば、カートン外面における手下げ用取手部材の基部の部分が膨らまず、カートンの外観が良好に保たれる。また手下げ用取手部材を使用しない時は、取手部材の基部を該凹部に押し込んでカートンから突出しないようにすることができる。
【発明の効果】
【００１９】
本発明によれば、カートンから容易に緩衝材を取り出すことができ、しかもコンパクトな包装装置を提供することができる。
【図面の簡単な説明】
【００２０】
【図１】実施例１の緩衝体の斜視図
【図２】実施例１の緩衝体の上面図
【図３】実施例１の緩衝体の正面図
【図４】実施例１の緩衝体のＡ−Ａ断面図
【図５ａ】実施例１のカートンを閉じる前の包装装置
【図５ｂ】実施例１のカートンを閉じた状態の包装装置
【図６】実施例２の緩衝体
【発明を実施するための形態】
【００２１】
包装装置について図面に基づき説明する。なお、以下の説明において、前後左右とは包装装置をカートンの開閉口（緩衝材のカートンからの取り出し口）側から見た時の表現である。
【００２２】
（実施例１）
実施例１では収納部を有する下部緩衝体と、収納部の開口を覆う蓋としての上部緩衝体を備える包装装置について説明する。
【００２３】
１．緩衝材
実施例１の緩衝材１は、図１、４に示すように、被包装物の収納部である収納凹部３０を有する下部緩衝体３と、下部緩衝体３の収納凹部３０の四周の側壁上端部３２に嵌合し収納凹部３０の開口を覆う上部緩衝体２とが対向して、上下両面から把持できる厚みを有する直方体を形成してなる。上部緩衝体２の下面には、下部緩衝体３の収納凹部３０を形成する側壁の内側に嵌合する嵌合凸部２１が設けられている。
【００２４】
上部緩衝体２は、カートンによる包装時にカートンの開閉口側となる側面である前面２ａの一辺部から前面２ａに隣接する上面２ｂにかけて開口し内奥側に延びる把持用凹部２２を有する。把持用凹部２２は、親指以外の数本の指を挿入できる深さ及び幅で開口している。ここで親指以外の数本の指とは人差し指から小指までの指のうちいずれかの指１本又は複数本のことで、例えば人差し指1本であっても良いし、人差し指から小指までの４本の指であっても良い。把持用凹部２２の内奥部には、その底面が凹設されて指掛け用凹部２３が形成されている。ここで、指掛け用凹部２３は図４に示すように嵌合凸部２１の上方に位置する。指掛け用凹部２３の底面は、下部緩衝体３aの収納凹部３０の四周の側壁上端面３３に対し接する上部緩衝体の下面より上方にある。包装装置５の使用者は、把持用凹部２２に前面２ａから親指を除く例えば４本の指を入れ、指を把持用凹部２２の奥で曲げて、指掛け用凹部２３に掛ける。
【００２５】
下部緩衝体３の下面には、カートンの開閉口側に位置する前面３ａの下辺部から下面３ｂにかけて連続して開口する親指用凹部３１が設けられている。親指用凹部３１は、把持用凹部２２に親指以外の数本の指を挿入し緩衝材を把持する場合に親指をかけることができる位置にあり、しかも把持用凹部２２に右手又は左手のいずれの指を挿入した場合であってもその手の親指をかけることができる左右方向の幅を持っている。
【００２６】
上部緩衝体２の上面には、カートンの開閉口側に位置する前面２ａに開口して、後述するカートンの外フラップ４３の端縁に連接された挿し込み用フラップ４４を挿入できる挿し込み用凹部２４が設けられている。カートンの開閉口側に位置する前面１ａの左右には、開口が四角形を形成し、後述するカートンの内フラップ４２に設けられた手下げ用の取手部材４５の取り付け基部４６を収容できる基部用凹部１０が設けられている。
【００２７】
上部緩衝体２及び下部緩衝体３の材質は限定されないが、例えば発泡樹脂であれば、強度、緩衝作用共に優れている。
【００２８】
２．カートン
カートン４は一側面に開閉口を有する直方体形状をなし、開閉口から緩衝材１を挿入して包装できる。詳細には、カートン４は、予め直方体に組み立てられたカートン本体４１と、カートン本体４１の開口部の上部に設けられた内フラップ４２と、カートン本体４１の開口部の下部に設けられた外フラップ４３と、外フラップ４３の先端に設けられた挿し込み用フラップ４４と、内フラップ４２に装着された手下げ用取手部材４５を備える。カートン４の材質は限定されないが、例えば段ボールが用いられる。
【００２９】
取手部材４５は、内フラップ４２の外面側に取り付けられ、その両端が内フラップ４２に設けられた２つの内フラップスリット４９、４９を通って内フラップ４２の内面側に延長され、基部４６、４６に固着されている。カートン４を閉じた状態で取手部材４５をカートン４内方へ押し込むと、取手部材４５の左右部が内フラップスリット４９、４９から基部用凹部１０、１０に押し込まれる。この時、基部４６、４６は基部用凹部１０、１０の奥へ押し込まれる。
【００３０】
外フラップ４３は、内フラップ４２を閉じその上に重ねて外フラップ４３を閉じた時に取手部材４５と重なる位置に、取手部材用開口４７を有する。
【００３１】
内フラップ４２のカートン本体４１との接合部には、挿し込み用フラップ４４の左右方向の幅と同じ幅の挿し込み用スリット４８が設けられている。
【００３２】
３．包装装置の使用方法及び効果
実施例１の包装装置５は、被包装物を収納した緩衝材１をカートン４に挿入して包装状態にされる。具体的には、まず上部緩衝体２と下部緩衝体３の間に被収納物を入れて収納状態に保持する。そして、緩衝材１は上部緩衝体２を上にし、カートン４は内フラップ４２側が設けられている側を上にし、その状態で緩衝材１をカートン本体４１に挿入する。その後、内フラップ４２を閉じる。その際、内フラップ４２の基部４６が緩衝材１の基部用凹部１０にはまる。そのため、カートン４を閉じた時に基部４６の部分が膨らまず、カートン４の外観が良好に保たれる。その後、外フラップ４３を閉じる。その際、外フラップ４３の挿し込み用フラップ４４を内フラップ４２の挿し込み用スリット４８に挿入する。挿し込み用スリット４８を通過した挿し込み用フラップ４４はそのまま上部緩衝体２の挿し込み用凹部２４に収納される。そのため、カートン４を閉じるために無理な力を加えてカートン４と緩衝材１の隙間に挿し込み用フラップ４４を入れる必要がなく、容易にカートン４を閉じることができる。また、カートン４を閉じた時に挿し込み用フラップ４４の部分が膨らまず、カートン４の外観が良好に保たれる。また、内フラップ４２に装着された取手部材４５は、外フラップ４３の取手部材用開口４７を通ってカートン４の外側へ出る。使用者は取手部材４５を持って包装装置５を持ち運び等することができる。取手部材４５を使用しない場合は取手部材４５を基部用凹部１０へ押し込み、取手部材４５が突出しないようにすることができる。
【００３３】
上記の緩衝材１を上記のカートン４から取り出す場合は、まず外フラップ４３と内フラップ４２を開く。その後、右手又は左手の親指を除く例えば４本の指を把持用凹部２２に入れ、指を把持用凹部２２の奥で曲げて、指掛け用凹部２３に掛ける。その一方で親指を親指用凹部３１に入れる。そして緩衝材１をカートン４から引き出す。
【００３４】
本発明では把持用凹部２２に指を挿入し指先を指掛け用凹部２３に掛けて緩衝材１を引き出すため、カートン４の開閉口を大きく広げることなく、カートン４から容易に緩衝材を取り出すことができる。特に、指掛け用凹部２３に親指を除く例えば４本の指を掛けることができるため、しっかりと緩衝材を保持して取り出すことができる。
【００３５】
また、上部緩衝体２における嵌合凸部２１の反対位置に指掛け用凹部２３を有するため、指掛け用凹部２３に加えた上部緩衝体２を引く力が嵌合凸部２１を介して下部緩衝体３に伝わり、上部緩衝体２と下部緩衝体３を一体として容易にカートン４から引き出すことができる。
【００３６】
ここで、指掛け用凹部２３が嵌合凸部２１の内部まで及ぶと、嵌合凸部２１が中空となってしまうため、嵌合凸部２１の強度を確保するために嵌合凸部２１を大きなものにしなければならない。そのため嵌合凸部２１が下部緩衝体３の収納凹部３０のスペースを狭くしたり、緩衝材１全体が大きくなったりする。しかし本発明のように指掛け用凹部２３の底面を下部緩衝体３aの収納凹部３０の四周の側壁上端面３３に対し接する上部緩衝体の下面より上方とすると、嵌合凸部２１を大きくする必要がないため、収納スペースを十分に確保でき、しかも緩衝材１全体をコンパクトなものとすることができる。
【００３７】
なお、指掛け用凹部２３を上部緩衝体２における嵌合凸部２１の反対位置以外の位置に設けることも可能であるが、その場合も指掛け用凹部２３の底面が、下部緩衝体３aの収納凹部３０の四周の側壁上端面３３に対し接する上部緩衝体の下面より上方にあることが望ましい。指掛け用凹部２３の底部を下部緩衝体３aの収納凹部３０の四周の側壁上端面３３に対し接する上部緩衝体の下面より下方に形成する場合、上部緩衝体の下部緩衝体側に内部が指掛け用凹部２３である新たな凸部を形成しなければならず、下部緩衝体の収納スペースを狭くすることとなるからである。また、この指掛け用凹部の強度を確保するためにはその壁を厚くしなければならず、その結果前記新たな凸部が大きくなり、下部緩衝体の収納スペースをさらに狭くしたり、緩衝材全体が大きくなったりするからである。
【００３８】
また本発明では親指用凹部３１に親指を入れて緩衝材１を掴むことができるため、緩衝材１に力を加えた状態で容易に緩衝材１をカートン４から取り出すことができる。特に本発明では右手と左手のいずれの手で緩衝材１を持った場合も親指用凹部３１に親指を入れることができるため、便利である。
【００３９】
また、特許文献１の発明のように緩衝体本体から突出した形で把手部を設けた場合、把手部の強度を保つために、把手部を太く厚みのあるものにしなければならない。その結果緩衝材全体が大きくなり、カートン内におけるデッドスペースも広くなる。しかし本発明では、緩衝材１の一部に凹部を形成することにより把手部を形成したため、把手部が小さくても強度を保つことが可能であるばかりか、逆に把手部が必要最小限の深さ及び幅で十分な強度が得られるため、自ずと緩衝材１をコンパクトなものとすることができる。
【００４０】
（実施例２）
実施例２では収納凹部を有する１つの緩衝体を備える包装装置について説明する。
【００４１】
図６に実施例２の緩衝材１０１を示す。緩衝材１０１はその上面に被包装物を収納するための収納凹部１２０を有する。
【００４２】
緩衝材１０１は、カートンによる包装時にカートンの開閉口側となる前面１０２ａの一辺部から前面１０２ａに隣接する上面１０２ｂにかけて開口する把持用凹部１２２及び挿し込み用凹部１２４を有する。把持用凹部１２２の内奥部には指掛け用凹部１２３が形成されている。把持用凹部１２２、挿し込み用凹部１２４、指掛け用凹部１２３の位置、大きさ、範囲、及び形態は、実施例１の上部緩衝体２ａにおける把持用凹部２２、挿し込み用凹部２４、指掛け用凹部２３と同じである。
【００４３】
また緩衝材１０１は、カートンによる包装時にカートンの開閉口側となる前面１０２ａの一辺部から前面１０２ａに隣接する下面１０３ｂにかけて開口する親指用凹部１３１を有する。親指用凹部１３１の位置、大きさ、範囲、及び形態は、実施例１の下部緩衝体３ａにおける親指用凹部３１と同じである。
【００４４】
さらに緩衝材１０１は、カートンによる包装時にカートンの開閉口側となる前面１０２ａの左右に、開口が四角形を形成し、カートンの内フラップ４２に設けられた手下げ用の取手部材４５の取り付け基部４６を収容できる基部用凹部１１０を有する。
【００４５】
実施例２では、実施例１のものと同じカートン４を用いて、実施例１の場合と同様にして緩衝材１０１を包装することができる。
【符号の説明】
【００４６】
１…実施例１の緩衝材、１ａ…前面、１０…基部用凹部、２…上部緩衝体、２ａ…前面、２ｂ…上面、２１…嵌合凸部、２２…把持用凹部、２３…指掛け用凹部、２４…挿し込み用凹部、３…下部緩衝体、３ａ…前面、３ｂ…下面、３０…収納凹部、３１…親指用凹部、３２…側壁上端部、３３…側壁上端面、４…カートン、４１…カートン本体、４２…内フラップ、４３…外フラップ、４４…挿し込み用フラップ、４５…取手部材、４６…基部、４７…取手部材用開口、４８…挿し込み用スリット、４９…内フラップスリット、５…実施例１の包装装置、１０５…実施例２の包装装置、１０１…実施例２の緩衝材、１０２ａ…前面、１０２ｂ…上面、１０３ｂ…下面、１０４…カートン、１０５…実施例２の包装装置、１１０…基部用凹部、１２０…収納凹部、１２２…把持用凹部、１２３…指掛け用凹部、１２４…挿し込み用凹部、１３１…親指用凹部
【図１】
0005917234.tif 000002
【図２】
0005917234.tif 000003
【図３】
0005917234.tif 000004
【図４】
0005917234.tif 000005
【図５ａ】
0005917234.tif 000006
【図５ｂ】
0005917234.tif 000007
【図６】
0005917234.tif 000008